(57)【要約】      （修正有）【課題】すべてのトーションビットに適用することができ、安全性、強度、識別性、操作性、耐久性等の向上が図られ、かつ製作も容易にできる被包体付きトーションビットを提供する。【解決手段】トーションビット１のビット２や把持部４の部位を除く部位に任意の外面形状のプラスチック成形による被包体５ａを装着する。【選択図】図２
0003143372.tif 000002
【実用新案登録請求の範囲】
【請求項１】
ビットを先端に形成するトーションビットであって、該トーションビットは、前記ビットの部位及びトーションビットの把持部の部位を除く部位にプラスチック成形による被包体を装着することを特徴とする被包体付トーションビット。
【請求項２】
前記被包体が装着される前記部位が縮径部からなることを特徴とする請求項１に記載の被包体付トーションビット。
【請求項３】
前記被包体が回動可能に装着されることを特徴とする請求項１に記載の被包体付トーションビット。
【請求項４】
前記被包体が色彩を有するものからなることを特徴とする請求項１又は２に記載の被包体付トーションビット。
【請求項５】
前記被包体の外面形状が丸型，角型，凹凸型のものからなることを特徴とする請求項１乃至３のいずれかに記載の被包体付トーションビット。
【考案の詳細な説明】
【技術分野】
【０００１】
本考案は、ビットと把持部を有するトーションビットに係り、特に、前記ビットと把持部を除く部位にプラスチックの被包体を装着してなる被包体付トーションビットに関する。
【背景技術】
【０００２】
トーションビットとしては各種のものがあるが、すべてのトーションビットにはビットと把持部が設けられている。このビットについては一端にのみビットを形成するものや両端にビットを形成するものがあり、把持部についても両側にあるものや電動ビットの如く片側にのみあるもの等があり、把持部の形状も角型に限らず各種形状のものがある。
また、プラスチックの被包部を形成するものとして、例えば、「特許文献１」の如きものがある。
【特許文献１】実願２００６−００６６３５号（図１）
【考案の開示】
【考案が解決しようとする課題】
【０００３】
「特許文献１」の「実願２００６−００６６３５号」の「プラスチック被包部を有するトーションビット」は角材の両端にビットを有し、ビット間に薄肉部を形成してなるトーションビットの前記薄肉部にのみプラスチック被包部を固着したものであり、かつプラスチック被包部の外面と角材とが面一に形成されるものであり、かなり限定したものからなるこの「特許文献１」のトーションビットも特徴を有するものであるが、その主目的は製作の容易性と耐久性及び外観美の向上にあり、目的効果においてもかなり限定したものである。
【０００４】
トーションビットにプラスチック被包体を設ける目的や効果としては、前記以外、安全性や歪み（曲げ）防止や操作性や強度向上等があり、かつ各種のトーションビットに対してもすべて適用できる自由部を有するものが望ましい。
【０００５】
本考案は、以上の事情に鑑みて考案されたものであり、すべてのトーションビットに適用でき、安全性，強度，識別性，操作性，耐久性等の向上が図られ、かつ製作も容易にできる被包体付トーションビットを提供することを目的とする。
【課題を解決するための手段】
【０００６】
本考案は、以上の目的を達成するために、請求項１の考案は、ビットを先端に形成するトーションビットであって、該トーションビットは、前記ビットの部位及びトーションビットの把持部の部位を除く部位にプラスチック成形による被包体を装着することを特徴とする。
【０００７】
また、請求項２の考案は、前記被包体が装着される前記部位が縮径部からなることを特徴とする。
【０００８】
また、請求項３の考案は、前記被包体が回動可能に装着されることを特徴とする。
【０００９】
また、請求項４の考案は、前記被包体が色彩を有するものからなることを特徴とする。
【００１０】
また、請求項５の考案は、前記被包体の外面形状が丸型，角型，凹凸型のものからなることを特徴とする。
【考案の効果】
【００１１】
本考案の請求項１の被包体付トーションビットによれば、トーションビットのビット及び把持部を除く部位にプラスチックの被包体を装着することにより、損傷時における安全性の確保や歪みや曲げに対する防止ができ、更に、被包体に指先をそえることにより操作性が向上し、全体としての耐久性の向上が図られる。
【００１２】
また、本考案の請求項２の被包体付トーションビットによれば、被包体が縮径部に装着されるため強度の向上が図れる。
【００１３】
また、本考案の請求項３の被包体付トーションビットによれば、被包体が回転可能に装着されることにより操作性の向上が図られる。
【００１４】
また、本考案の請求項４の被包体付トーションビットによれば、被包体を色別にすることができ、識別性の向上が図られる。
【００１５】
また、本考案の請求項５の被包体付トーションビットによれば、被包体の外面形状を任意に設定することができ、トーションビットの形状に対応したものが設定され、一層の操作性の向上が図られる。
【考案を実施するための最良の形態】
【００１６】
以下、本考案の被包体付トーションビットの実施の形態を図面を参照して詳述する。
以下の説明では、トーションビットとして図１乃至図５に示す片端や両端にビットのあるものや図６，図７に示す手廻しビットの如きものを実施例として挙げられるが、トーションビットとしてはこれ等に限定するものではなく、本考案は、すべての形態のトーションビットに適用可能である。なお、以下の説明では、被包体は縮径部に装着されるものについて説明するが、これに限定するものではない。
【実施例１】
【００１７】
図８に示すように、このトーションビット１は一端側又は両端側にビット２が形成され、一端側のものは軸部３の後端側に六角状の把持部４が形成される。また、軸部３の略中間には縮径部６が形成される。この縮径部６には図１（ａ）に示すように本考案の主要部材であるプラスチック成形からなる被包体５が装着されている。この被包体５は図１（ｂ）に示すような凹凸形状のものからなり、縮径部６に固着又は回転可能に装着されている。
以上により、縮径部６が補強され、耐久性の向上が図られ、仮りにこの部分に損傷があっても安全性が確保される。また、被包体５の形状からみて操作性の向上が図られる。また、被包体５を色別にすることにより、識別性の向上が図られる。
【実施例２】
【００１８】
図９は一端側にビット２を形成し他端側に把持部４を形成し中間に縮径部６を形成するトーションビット１を示す。図２は図９のトーションビット１の縮径部６に被包体５ａを装着したものである。この被包体５ａは外内面とも丸型のものからなり軸部３に固着又は回転可能に装着される。この被包体５ａによる効果は実施例１の場合とほぼ同一である。
【実施例３】
【００１９】
図３は図２に示したトーションビット１の軸部３に外面が六角で内面が丸型の被包体５ｂを装着したものである。なお、被包体５ｂは軸部３に固着又は回転可能に装着される。また、この実施例の効果も実施例１とほぼ同一である。
【実施例４】
【００２０】
図１０は両端側にビット２，２を有し六角の軸部３を有し、六角形状の縮径部６を有するトーションビット１を示す。図４は図１０のトーションビット１の縮径部６に外面が丸型で内面が六角の被包体５ｃを装着したものである。このものの効果も前記の実施例とほぼ同一である。
【実施例５】
【００２１】
図５は図４に示した形状のトーションビット１の縮径部６に外内面が六角状の被包体５ｄを装着したものである。このものの効果も前記の実施例とほぼ同一である。
【実施例６】
【００２２】
図１１は手廻し型のビット１Ａを示す。図６は図１１のビット１Ａの軸部３の縮径部に図１に示した被包体５を装着したものである。また、その効果も前記の実施例とほぼ同一である。
【実施例７】
【００２３】
図７は図６に示した手廻し型のビット１Ａに図２に示した被包体５ａを装着したものである。その効果も前記の実施例とほぼ同一である。
【００２４】
本考案のトーションビットは前記の各実施例に示すような形態のものからなり、比較的構造の簡単なプラスチック成形による被包体をトーションビットに装着したものであり比較的容易に製作することができると共に前記のように安全性，強度，耐久性，操作性，識別性等の各種の機能を発揮することができる。なお、使用されるプラスチックの種類も目的に応じて適宜のものが設定される。
なお、本考案は、以上の実施例に限定されるものではなく、同一技術的範疇のものが適用されることは勿論である。
【産業上の利用可能性】
【００２５】
本考案の被包体付トーションビットはすべての形態がトーションビットに適用可能であり、その利用範囲は極めて広い。
【図面の簡単な説明】
【００２６】
【図１】本考案の適用されるトーションビットの一例を示す正面図（ａ）及び（ａ）のＡ−Ａ線拡大断面図（ｂ）。
【図２】本考案の第２の実施例のトーションビットを示す正面図（ａ）及び（ａ）のＢ−Ｂ線拡大断面図（ｂ）。
【図３】本考案の第３の実施例のトーションビットを示す正面図（ａ）及び（ａ）のＣ−Ｃ線拡大断面図（ｂ）。
【図４】本考案の第４の実施例のトーションビットを示す正面図（ａ）及び（ａ）のＤ−Ｄ線拡大断面図（ｂ）。
【図５】本考案の第５の実施例のトーションビットを示す正面図（ａ）及び（ａ）のＥ−Ｅ線拡大断面図（ｂ）。
【図６】本考案の第６の実施例のトーションビットを示す正面図（ａ）及び（ａ）のＦ−Ｆ線拡大断面図（ｂ）。
【図７】本考案の第７の実施例のトーションビットを示す正面図（ａ）及び（ａ）のＧ−Ｇ線拡大断面図（ｂ）。
【図８】図１に示したトーションビットの被包体装着前の形状を示す正面図（ａ）及び（ａ）のＨ−Ｈ線断面図。
【図９】図２及び図３に示したトーションビットの被包体装着前の形状を示す正面図（ａ）及び（ａ）のＩ−Ｉ線断面図（ｂ）。
【図１０】図４及び図５に示したトーションビットの被包体装着前の形状を示す正面図（ａ）及び（ａ）のＪ−Ｊ線断面図（ｂ）。
【図１１】図６及び図７に示したトーションビットの被包体装着前の形状を示す正面図（ａ）及び（ａ）のＫ−Ｋ線断面図（ｂ）。
【符号の説明】
【００２７】
１    トーションビット
１Ａ  手廻し型トーションビット
２    ビット
３    軸部
４    把持部
５    被包体
５ａ  被包体
５ｂ  被包体
５ｃ  被包体
５ｄ  被包体
６    縮径部
【図１】
0003143372.tif 000003
【図２】
0003143372.tif 000004
【図３】
0003143372.tif 000005
【図４】
0003143372.tif 000006
【図５】
0003143372.tif 000007
【図６】
0003143372.tif 000008
【図７】
0003143372.tif 000009
【図８】
0003143372.tif 000010
【図９】
0003143372.tif 000011
【図１０】
0003143372.tif 000012
【図１１】
0003143372.tif 000013